(57)【特許請求の範囲】
【請求項１】
駆動ワイヤの動作方向に従って移動する先導パイプに連結され、前記駆動ワイヤの駆動により温室内において所定高さの位置で開閉するように配設されるカーテン部材を備えた温室用カーテン装置であって、
前記カーテン部材によって開閉される一つの開閉範囲において、機能の異なる複数種類のカーテン部材が用いられ、各カーテン部材の各基端縁が、開閉範囲におけるそれぞれの開放端付近に固定されると共に、各先端縁が、前記開閉範囲において対向配置された複数の先導パイプにそれぞれ連結され、
前記開閉範囲において前記各カーテン部材を共に支持する棚線が設けられ、
前記対向配置された複数の先導パイプが、それぞれ異なる駆動系統に属する駆動ワイヤに連結され、
いずれかの駆動系統に属する駆動ワイヤの駆動により、いずれかの種類の前記カーテン部材が開閉し、他の駆動系統に属する駆動ワイヤの駆動により、他の種類の前記カーテン部材が開閉することを特徴とする温室用カーテン装置。
【請求項２】
前記開閉範囲ごとに、異なる駆動系統に属する駆動ワイヤにそれぞれ連結される対向配置された２本の前記先導パイプが設けられ、そのうちの一方の先導パイプに、一方の種類の前記カーテン部材の先端縁が連結され、他方の先導パイプに他方の種類の前記カーテン部材の先端縁が連結されている請求項１記載の温室用カーテン装置。
【請求項３】
前記各カーテン部材を開放端側に寄せ集めるために、前記各先導パイプから外方に突出するように取り付けられるカーテン寄せ具が、前記各先導パイプにそれぞれ上方及び下方の反対方向に突出するように取り付けられており、前記各先導パイプ同士をすれ違い可能とし、前記各カーテン部材の少なくとも一部を重ね合わせて展開可能である請求項１又は２記載の温室用カーテン装置。
【請求項４】
前記機能の異なる複数種類のカーテン部材は、一方のカーテン部材が他方のカーテン部材よりも保温機能が高く、前記他方のカーテン部材が遮光機能又は遮熱機能のいずれか少なくとも一つの点で前記一方のカーテン部材よりも高いものである請求項１〜３のいずれか１に記載の温室用カーテン装置。
【発明の詳細な説明】
【技術分野】
【０００１】
本発明は、温室内において所定高さに配置されるカーテン部材を開閉して、温室内上方空間を仕切り、保温効果、遮光効果、遮熱効果などを得るために用いられる温室用カーテン装置に関する。
【背景技術】
【０００２】
特許文献１及び２には、プラスチックフィルム等からなる保温用、遮光用のカーテン部材を、温室内の上方空間に配置し、これを開閉して室内環境を調整する温室用カーテン装置が開示されている。カーテン部材は、基端縁が固定され、その反対側の端縁（先端縁）に先導パイプが連結され、カーテン部材の開閉方向に沿って配設した駆動ワイヤを先導パイプに連結して、駆動ワイヤによって先導パイプを移動させて該カーテン部材を開閉する。すなわち、カーテン部材を閉じる際には、先導パイプでカーテン部材を牽引して展開し、カーテン部材を開ける際には、逆方向に先導パイプを移動して、カーテン部材を押すように寄せ集めていき開放する。
【０００３】
特許文献３の図４〜図７には、妻面側から見た屋根部の形状が山形の温室において、頂部を挟んだ各側部側に位置する各傾斜屋根部に対応して、各傾斜屋根部の略半分の長さを有する第１のカーテン部材と第２のカーテン部材を有するものが示されている。第１のカーテン部材及び第２のカーテン部材は、閉鎖時には、それぞれの先端縁に取り付けられた先導パイプが互いに接近し、一方の先導パイプを他方の先導パイプが乗り越えた位置まで移動して両者間に隙間が生じないようになっている。特許文献３のものは、第１のカーテン部材及び第２のカーテン部材がともに２層になっているが、単層のものでも同様である。
【先行技術文献】
【特許文献】
【０００４】
【特許文献１】特開平１０−３０４７８０号公報
【特許文献２】特開２００２−２３８３７０号公報
【特許文献３】特開２００８−２９３１４号公報
【発明の概要】
【発明が解決しようとする課題】
【０００５】
特許文献１及び２に例示されているものは、温室の幅方向中央部を頂点として、それぞれ側面方向に展開されるカーテン部材が１枚ずつ配設された単層のカーテン装置である。特許文献３は、カーテン部材が２層の構成であり、２層間に空気層を形成して保温効果、断熱効果を高めることを目的とすると共に、その効果をより簡易な構成で達成しようとするものである。
【０００６】
特許文献１及び２の構造のものは、カーテン部材の種類に関して特別の条件は記載されていないが、このような単層のカーテン部材構成の場合、基本的には、保温用又は遮光用等のうち、いずれか１種類のカーテン部材を配設するのが通常である。特許文献３の場合、２層の構成であるが、２層をほぼ一緒に動かし、２層間の空気層の積極的利用を図ることを目的としている。そのため、使用するカーテン部材の種類まで特に限定していない。
【０００７】
しかしながら、温室は、夏季を中心とした気温が高く、日射量の多い条件では、遮光機能あるいは遮熱機能の高いカーテン部材を使用することが多く、冬季を中心とした寒冷時期は保温機能の高いカーテン部材を使用することが多い。そこで、駆動系統を２組設け、上層に遮光機能又は遮熱機能の高いカーテン部材を配設し、下層に保温機能の高いカーテン部材を配設した２軸２層構造のものも知られている。各駆動系統は、駆動モーター、駆動モーターによって回転する巻き取りドラム、巻き取りドラムに巻回された駆動ワイヤ、駆動ワイヤを張設するための複数の滑車等を備えてなり、機能の異なる上層と下層のカーテン部材をそれぞれ別々に動かすようになっている。
【０００８】
このように２つの駆動系統に対応して上下にカーテン部材を設ける場合、上層及び下層のカーテン部材が干渉しないように、上下に１５〜２０ｃｍ程度の間隔をおいて設置するのが通常である。当初から２層で設置する場合にはもちろん問題ないが、既設の１軸１層のカーテン装置にカーテン部材を追加して２層にする場合、もともと１層用であるため、軒高が低かったり、作物の背丈が高かったりといった理由から、１５〜２０ｃｍという相互の干渉を避けるために必要な層間距離を確保できず、結局２層目を追加できない場合がある。
【０００９】
本発明は上記に鑑みなされたものであり、異なる種類のカーテン部材を高さを異ならせることなく配設でき、軒高の低いことなどから、従来、異なる種類のカーテン部材の増設が困難であった温室でも、カーテン部材の増設を容易に行うことが可能な温室用カーテン装置を提供することを課題とする。
【課題を解決するための手段】
【００１０】
上記した課題を解決するため、本発明の温室用カーテン装置は、駆動ワイヤの動作方向に従って移動する先導パイプに連結され、前記駆動ワイヤの駆動により温室内において所定高さの位置で開閉するように配設されるカーテン部材を備えた温室用カーテン装置であって、
前記カーテン部材によって開閉される一つの開閉範囲において、機能の異なる複数種類のカーテン部材が用いられ、各カーテン部材の各基端縁が、開閉範囲におけるそれぞれの開放端付近に固定されると共に、各先端縁が、前記開閉範囲において対向配置された複数の先導パイプにそれぞれ連結され、
前記開閉範囲において前記各カーテン部材を共に支持する棚線が設けられ、
前記対向配置された複数の先導パイプが、それぞれ異なる駆動系統に属する駆動ワイヤに連結され、
いずれかの駆動系統に属する駆動ワイヤの駆動により、いずれかの種類の前記カーテン部材が開閉し、他の駆動系統に属する駆動ワイヤの駆動により、他の種類の前記カーテン部材が開閉することを特徴とする。
【００１１】
前記開閉範囲ごとに、異なる駆動系統に属する駆動ワイヤにそれぞれ連結される対向配置された２本の前記先導パイプが設けられ、そのうちの一方の先導パイプに、一方の種類の前記カーテン部材の先端縁が連結され、他方の先導パイプに他方の種類の前記カーテン部材の先端縁が連結されている構成とすることが好ましい。前記各カーテン部材を開放端側に寄せ集めるために、前記各先導パイプから外方に突出するように取り付けられるカーテン寄せ具が、前記各先導パイプにそれぞれ上方及び下方の反対方向に突出するように取り付けられており、前記各先導パイプ同士をすれ違い可能とし、前記各カーテン部材の少なくとも一部を重ね合わせて展開可能な構成とすることもできる。前記機能の異なる複数種類のカーテン部材は、一方のカーテン部材が他方のカーテン部材よりも保温機能が高く、前記他方のカーテン部材が遮光機能又は遮熱機能のいずれか少なくとも一つの点で前記一方のカーテン部材よりも高いものとすることができる。
【発明の効果】
【００１２】
本発明によれば、機能の異なるカーテン部材を、対向配置された複数の先導パイプにそれぞれ連結すると共に、いずれのカーテン部材も同じ高さの共通の棚線上に配置し、それぞれのカーテン部材を異なる駆動系統で駆動する構成である。各カーテン部材の先導パイプが対向配置されているため、一の種類のカーテン部材を開閉動作させる場合には、他の種類のカーテン部材を動作させずに、一の種類に対応したカーテン部材の駆動系統を駆動させれば、当該一のカーテン部材を開閉できる。逆に、他の種類のカーテン部材を開閉する場合には、一の種類のカーテン部材を開閉動作させずに、他の種類のカーテン部材に対応した駆動系統を駆動させれば、当該他のカーテン部材を開閉できる。各カーテン部材は、同じ高さに設置された共通の棚線上で開閉動作するため、これらのカーテン部材間に所定の層間距離をとることなく配置でき、軒高の低い温室等における追加設置も可能である。
【００１３】
また、機能の異なる一の種類のカーテン部材と他の種類のカーテン部材とを、ともに閉鎖（展開）方向に動作させて、気象条件に合わせて、例えば、保温機能と遮光機能のバランスを図ることができる。また、各カーテン部材の先導パイプ同士をすれ違うように動作させれば、異なる種類のカーテン部材同士を少なくとも一部において重ね合わせることができる。それにより、例えば、一の種類が遮光機能や遮熱機能の高いカーテン部材であって、他の種類が保温機能の高いカーテン部材の場合、両者の重なり合った範囲においては、保温機能の高いカーテン部材のみを配設する場合と比較して、さらに保温機能を高める。従って、厳寒期において、保温機能の高いカーテン部材のみでは保温に不十分な場合、機能的に保温性があまり重視されていないカーテン部材であっても、保温性を補助するために利用することが可能である。逆に、夏季において、２種類のカーテン部材を重ね合わせて、遮光機能、遮熱機能をより高めることも可能である。
【図面の簡単な説明】
【００１４】
【図１】図１は、本発明の一の実施形態に係る温室用カーテン装置の採用した温室の概略構成を示した斜視図である。
【図２】図２は、上記実施形態の温室用カーテン装置を採用した温室の概略構成を示した妻面方向から見た図である。
【図３】図３（ａ）は、図２のＡ部拡大図であり、図３（ｂ）は、図２のＢ部拡大図である。
【図４】図４は、上記実施形態の温室用カーテン装置における各カーテン部材、駆動ワイヤ、棚線の構造を詳細に示した図である。
【図５】図５は、連棟式の温室に上記実施形態に係る温室用カーテン装置の採用した場合の概略構成を示した妻面方向から見た図である。
【図６】図６（ａ）は、図５のＡ部拡大図であり、図６（ｂ）は、図５のＢ部拡大図である。
【発明を実施するための形態】
【００１５】
以下、図面に示した実施形態に基づき本発明をさらに詳細に説明する。図１〜図４は、本発明の一の実施形態に係る温室用カーテン装置１を説明するための図である。
【００１６】
図に示したように、温室用カーテン装置１は、本実施形態では、２つの駆動系統（第１駆動系統１０、第２駆動系統２０）、機能の異なる２種類のカーテン部材（第１カーテン部材１１０、第２カーテン部材１２０）及び棚線２００を有している。
【００１７】
第１及び第２駆動系統１０，２０は、それぞれ、駆動モーター１１，２１、駆動モーター１１，２１によって回転する駆動軸１１ａ，２１ａに装着された巻き取りドラム１２，２２、巻き取りドラム１２，２２に巻回された駆動ワイヤ１３，２３、駆動ワイヤ１３，２３を張設するための複数の滑車等を備えてなる。図２に示したように、温室が、頂部を中心として妻面側から見て山形の形状をしている場合、頂部から所定間隔をおいて下方に、駆動ワイヤ１３，２３の正方向部分１３ａ，２３ａ及び反方向部分１３ｂ，２３ｂが掛け回されるように滑車部材が２連で形成された頂部滑車１４ａ，２４ａが設けられている。
【００１８】
また、第１駆動系統１０は、温室の頂部を中心として図１の手前側の妻面方向から見て左側（図２の左側）に相当する開閉範囲Ａ１側に駆動軸１１ａ及び巻き取りドラム１２が配置され、第２駆動系統２０は、温室の頂部を中心として図１の手前側の妻面方向から見て右側（図２の右側）に相当する開閉範囲Ａ２側に駆動軸２１ａ及び巻き取りドラム２２が配置されている。そして、駆動ワイヤ１３，２３が引き出される巻き取りドラム１２，２２が配置されている側の開閉範囲Ａ１又はＡ２における温室の各側面付近に、すなわち、図１の手前側の妻面方向から見て左側（図２の左側）の側面付近に第１駆動系統１０用の２連のワイヤ受け滑車１４ｂが、図１の手前側の妻面方向から見て右側（図２の右側）に第２駆動系統２０用の２連のワイヤ受け滑車２４ｂが設けられている。それぞれの反対側の側面付近、すなわち、第１駆動系統１０の場合には、図２の右側の側面付近に反転用のサイド滑車１４ｃが設けられ、第２駆動系統２０の場合には、図２の左側の側面付近に反転用のサイド滑車２４ｃが配設されている。
【００１９】
第１駆動系統１０の駆動モーター１１の巻き取りドラム１２によって動作する駆動ワイヤ１３は、図２の左側の側面付近のワイヤ受け滑車１４ｂ（２連のうちの一方の滑車部材）に巻き掛けられた後、頂部滑車１４ａ（２連のうちの一方の滑車部材）を経て右側の側面付近のサイド滑車１４ｃに巻き掛けられて反転され、再び、頂部滑車１４ａ（２連のうちの他方の滑車部材）及び左側の側面付近のワイヤ受け滑車１４ｂ（２連のうちの他方の滑車部材）に巻き掛けられて巻き取りドラム１２に巻き掛けられる。第２駆動系統２０の駆動モーター２１の巻き取りドラム２２によって動作する駆動ワイヤ２３は、図２の右側の側面付近のワイヤ受け滑車２４ｂ（２連のうちの一方の滑車部材）に巻き掛けられた後、頂部滑車２４ａ（２連のうちの一方の滑車部材）を経て左方の側面付近のサイド滑車２４ｃに巻き掛けられて反転され、再び、頂部滑車２４ａ（２連のうちの他方の滑車部材）及び右側の側面付近のワイヤ受け滑車２４ｂ（２連のうちの他方の滑車部材）に巻き掛けられて巻き取りドラム２２に巻き掛けられる。
【００２０】
第１駆動系統１０の駆動ワイヤ１３のうち、図１及び図２の左側の側面付近のワイヤ受け滑車１４ｂから頂部滑車１４ａに向かって動作する部分を正方向部分１３ａとし、右側の側面付近のサイド滑車１４ｃで反転して逆方向に向かう部分を反方向部分１３ｂとすると、例えば、頂部より図１及び図２の左側において、駆動ワイヤ１３の正方向部分１３ａに第１先導パイプ１５ａが連結され、頂部より右側において、駆動ワイヤ１３の反方向部分１３ｂに第２先導パイプ１５ｂが連結される。
【００２１】
一方、第２駆動系統２０の駆動ワイヤ２３のうち、図１及び図２の頂部滑車２４ａから左側の側面付近のサイド滑車２４ｃに向かって動作する部分を正方向部分２３ａとし、サイド滑車２４ｃで反転して右側の側面付近のワイヤ受け滑車２４ｂ方向に向かう部分を反方向部分２３ｂとすると、例えば、頂部より図１及び図２の左側において、駆動ワイヤ２３の正方向部分２３ａに第３先導パイプ２５ａが連結され、頂部より右側において、駆動ワイヤ２３の反方向部分２３ｂに第４先導パイプ２５ｂが連結される。
【００２２】
駆動ワイヤ１３，２３と、各先導パイプ１５ａ，１５ｂ，２５ａ，２５ｂとは、駆動ワイヤ締結部品１６を介して連結されている。駆動ワイヤ締結部品１６は、図４に示したように、駆動ワイヤ１３，２３を連結する駆動ワイヤ連結部１６ａと、駆動ワイヤ１２，１３の張設方向に直交する方向に沿って先導パイプ挿通部１６ｂが設けられており、先導パイプ挿通部１６ｂに先導パイプ１５ａ，１５ｂ，２５ａ，２５ｂを挿通するように配置することで、両者を連結する。駆動ワイヤ締結部品１６には、カーテン寄せ具１６ｃが設けられており、各カーテン部材１１０，１２０を開放動作させる際、このカーテン寄せ具１６ｃが先端縁側から基端縁側に寄せ集めていく。
【００２３】
ここで、例えば、頂部滑車１４ａ，２４ａを中心として、それよりも妻面から見て左側の側面付近まで、及び、右側の側面付近までをそれぞれ一つの開閉範囲Ａ１，Ａ２とする場合に、開閉範囲Ａ１，Ａ２毎に、第１及び第２カーテン部材１１０，１２０が配設される。
【００２４】
第１カーテン部材１１０及び第２カーテン部材１２０は、互いに機能が異なるものが配設される。機能が異なるものであればその種類、組み合わせは限定されるものではなく、例えば、第１カーテン部材１１０として、第２カーテン部材１２０よりも遮光機能あるいは遮熱機能の高いもの、第２カーテン部材１２０として、第１カーテン部材１１０よりも保温機能の高いものなどを用いることができる。また、ネットからなる防虫用のカーテン部材をいずれかに用いてもよい。
【００２５】
開閉範囲Ａ１においては、例えば、第１カーテン部材１１０の基端縁１１０ａを開放端である図２の左側の側面付近の取り付けワイヤ（図示せず）に固定して、先端縁１１０ｂを、第１駆動系統１０の駆動ワイヤ１３の正方向部分１３ａに連結された第１先導パイプ１５ａに巻き付け、その外面から、パッカーと称される合成樹脂製の略半管状部材１７を装着して押さえ付け固定する（図４参照）。また、第２カーテン部材１２０の基端縁１２０ａを開放端である頂部付近の取り付けワイヤ（図示せず）に固定して、先端縁１２０ｂを、第２駆動系統２０の駆動ワイヤ２３の正方向部分２３ａに連結された第３先導パイプ２５ａに巻き付け、合成樹脂製の略半管状部材１７により固定する（図４参照）。
【００２６】
開閉範囲Ａ２においては、例えば、第１カーテン部材１１０の基端縁１１０ａを開放端である図２の右側の側面付近の取り付けワイヤ（図示せず）に固定して、先端縁１１０ｂを、第１駆動系統１０の駆動ワイヤ１３の反方向部分１３ｂに連結された第２先導パイプ１５ｂに巻き付け、略半管状部材１７により固定する。また、第２カーテン部材１２０の基端縁１２０ａを開放端である頂部付近の取り付けワイヤ（図示せず）に固定して、先端縁１２０ｂを、第２駆動系統２０の駆動ワイヤ２３の反方向部分２３ｂに連結された第４先導パイプ２５ｂに巻き付け、合成樹脂製の略半管状部材１７により固定する。
【００２７】
棚線２００は、図１及び図２に示したように、温室の一方の側面から頂部を経て他方の側面まで張り渡されている。棚線２００は、各カーテン部材１１０，１２０の下面を支持し、下方への垂れ下がりを防止するためのものである。上記したように、従来、２種類のカーテン部材を別々の駆動系統で設置する場合、両者が干渉しないように、各カーテン部材間に１５〜２０ｃｍ程度の間隔を設けている。そのため、棚線も、各カーテン部材に対応して、上下に異なる高さで設けており、温室の全体構造の複雑化、及び、コストアップの要因となっている。これに対し、本実施形態によれば、２種類のカーテン部材１１０，１２０を高さを異ならせずに配設しているため、共通の棚線２００を利用でき、温室の全体構造の簡素化、低コスト化に貢献できる。
【００２８】
本実施形態の温室用カーテン装置１は、次のように使用する。なお、第１カーテン部材１１０として、遮光機能あるいは遮熱機能の高いもの、第２カーテン部材１２０として、保温機能の高いものを用いるものと仮定する。この場合、例えば、夏季等において、全開状態から遮光、遮熱を行う場合には、第１駆動系統１０の駆動モータ１１を駆動させる。それにより、駆動ワイヤ１３の正方向部分１３ａに連結された第１先導パイプ１５ａが、図１及び図２の左側の側面付近から頂部側に移動し、第１先導パイプ１５ａに左側の第１カーテン部材１１０が牽引されて展開され、開閉範囲Ａ１を閉鎖する。同時に、駆動ワイヤ１３の反方向部分１３ｂに連結された第２先導パイプ１５ｂが、図２の右側の側面付近から頂部側に移動し、第２先導パイプ１５ｂに牽引されて右方の第１カーテン部材１１０が展開され、開閉範囲Ａ２を閉鎖する。
【００２９】
このようにして展開された第１カーテン部材１１０，１１０を開放動作する場合には、第１駆動系統１０の駆動モータ１１を上記と逆方向に回転させる。これにより、駆動ワイヤ１３が展開時（閉鎖時）と逆方向に動作し、これに連結された各先導パイプ１５ａ，１５ｂがいずれも頂部側から各側面側へと移動する。このとき、各先導パイプ１５ａ，１５ｂに取り付けられたカーテン寄せ具１６ｃが、各カーテン部材１１０，１１０を先端縁１１０ｂ，１１０ｂ側から基端縁１１０ａ，１１０ａ側へと寄せ集めていき、開閉範囲Ａ１，Ａ２が、ともに開放される。
【００３０】
一方、冬季等において、全開状態から保温を行う場合には、第２駆動系統２０の駆動モータ２１を駆動させる。それにより、駆動ワイヤ２３の正方向部分２３ａに連結された第３先導パイプ１５ａが、図１及び図２の頂部側から左側の側面方向へと移動し、第３先導パイプ２５ａに左側の第２カーテン部材１２０が牽引されて展開され、開閉範囲Ａ１を閉鎖する。同時に、駆動ワイヤ２３の反方向部分２３ｂに連結された第４先導パイプ２５ｂが、図１及び図２の頂部側から右側の側面方向へと移動し、第４先導パイプ２５ｂに牽引されて右側の第２カーテン部材１２０が展開され、開閉範囲Ａ２を閉鎖する。
【００３１】
展開された第２カーテン部材１２０を開放動作する場合には、第２駆動系統２０の駆動モータ２１を上記と逆方向に回転させる。これにより、駆動ワイヤ２３が展開時と逆方向に動作し、これに連結された各先導パイプ２５ａ，２５ｂがいずれも各側面側から頂部側へと移動し、各先導パイプ２５ａ，２５ｂに取り付けられたカーテン寄せ具１６ｃが、各カーテン部材１２０，１２０を先端縁１２０ｂ，１２０ｂ側から基端縁１２０ａ，１２０ａ側へと寄せ集めていき、開閉範囲Ａ１，Ａ２が、ともに開放される。
【００３２】
本実施形態によれば、異なる機能を備えたカーテン部材１１０，１２０を、共通の棚線２００で支持するものでありながら、２つの駆動系統１０，２０によって動作させるため、駆動時期を異ならせることで、２種類のカーテン部材１１０，１２０を相互に干渉させずに動作させることができる。そのため、１種類のカーテン部材を単層で使用している１軸１層形式の温室において、軒高が低かったり、栽培作物の背丈が高かったりといった理由により、設置高さの異なる２層での配設が困難な場合であっても、本実施形態であれば、複数種類のカーテン部材１１０，１２０を設置することが可能である。すなわち、従来、２軸２層形式で達成していた機能を、いわば２軸１層で達成できる。
【００３３】
また、カーテン部材の高さを異ならせて配設している従来の２軸２層形式において、いずれか１層を本実施形態と同様の共通の棚線２００を用いて２種類のカーテン部材１１０，１２０を稼働させる構成とすれば、３種類の機能を持たせることができ、さらに、２層のそれぞれについて、本実施形態と同様の構造とすれば、４種類の機能を持たせることができる。
【００３４】
また、上記実施形態では、第１駆動系統１０と第２駆動系統２０とを全く異なるタイミングで動作させ、第１カーテン部材１１０の開閉動作と、第２カーテン部材１２０の開閉動作が同時期になされないように制御している。
【００３５】
しかしながら、季節、気象条件においては、例えば、第１カーテン部材１１０及び第２カーテン部材１２０を、いずれも各開閉範囲Ａ１，Ａ２において、両者が重ならない範囲で途中まで展開するように制御して、遮光性・遮熱性と保温性を適宜のバランスで調整することもできる。例えば、各開閉範囲Ａ１，Ａ２のうち、６０％を第１カーテン部材１１０で覆い、残りの４０％を第２カーテン部材１２０で覆うようにすることもできる。
【００３６】
さらに、第１カーテン部材１１０及び第２カーテン部材１２０が各開閉範囲Ａ１，Ａ２において少なくとも一部が重なるように制御することもできる。この場合、対向配置される第１先導パイプ１５ａと第３先導パイプ２５ａとに設けられるカーテン寄せ具１６ｃ，１６ｃは、一方を下向きに、他方を上向きに取り付ける（図３、図４参照）。同様に、第２先導パイプ１５ｂと第４先導パイプ２５ｂにおける各カーテン寄せ具１６ｃ，１６ｃも相互に反対方向に突出するように取り付ける。これにより、第１先導パイプ１５ａと第３先導パイプ２５ａとが接近しても相互に干渉することなく交差でき、開閉範囲Ａ１において、第１カーテン部材１１０及び第２カーテン部材１２０の少なくとも一部が重なり合う。開閉範囲Ａ２においても、第２先導パイプ１５ｂと第４先導パイプ２５ｂとが交差でき、第１カーテン部材１１０及び第２カーテン部材１２０の少なくとも一部が重なり合う。
【００３７】
このように、第１カーテン部材１１０及び第２カーテン部材１２０を相互に重ね合わせることにより、重なり合った範囲では、例えば保温機能が高まる。すなわち、通常、保温を行うためには、上記実施形態では、第２カーテン部材１２０を展開するが、第２カーテン部材１２０を展開した上で、さらに第１カーテン部材１１０も展開すれば、第１カーテン部材１１０が遮光性重視のものであっても、第２カーテン部材１２０単層のみと比較すれば、保温性が高まる。
【００３８】
また、上記実施形態では、開閉範囲Ａ１，Ａ２において、第１カーテン部材１１０，１１０をいずれもその基端縁１１０ａ，１１０ａを側面側に固定し、第２カーテン部材１２０，１２０をいずれも基端縁１２０ａ，１２０ａを頂部側に固定している。しかしながら、開閉範囲Ａ１を開閉する第１カーテン部材１１０の基端縁１１０ａを側面付近に固定する一方で、開閉範囲Ａ２を開閉する第１カーテン部材１１０の基端縁１１０ａを頂部側に固定すると共に、開閉範囲Ａ１を開閉する第２カーテン部材１２０の基端縁１２０ａを頂部側に固定する一方で、開閉範囲Ａ２を開閉する第２カーテン部材１２０の基端縁１２０ａを側面付近に固定するようにしてもよい。
【００３９】
この場合、例えば、第１カーテン部材１１０，１１０は、いずれも第１駆動系統１０の駆動ワイヤ１３の正方向部分１３ａ，１３ａに連結し、第２カーテン部材１２０，１２０は、いずれも第２駆動系統１０の駆動ワイヤ２３の正方向部分２３ａ，２３ａに連結する。これにより、第１駆動系統１０を駆動させると、開閉範囲Ａ１においては、第１カーテン部材１１０が側面付近から頂部側に向かって展開され、開閉範囲Ａ２においては、第１カーテン部材１１０が頂部側から側面付近に向かって展開される。第２駆動系統２０を駆動させると、開閉範囲Ａ１においては、第２カーテン部材１２０が頂部側から側面付近に向かって展開され、開閉範囲Ａ２においては、第２カーテン部材１２０が側面付近から頂部側に向かって展開される。各カーテン部材１１０，１２０の展開方向が上記実施形態とは異なるものの、その他の作用は全く同様である。
【００４０】
図５は、２連棟の温室Ｂ１，Ｂ２で本発明を適用した実施形態の概要を示している。本実施形態では、各温室Ｂ１，Ｂ２のそれぞれの開閉範囲Ａ１，Ａ１，Ａ２，Ａ２に上記と同様に、第１及び第２カーテン部材１１０，１２０を配置する。棚線２００も共用のものを配置することは同様である。但し、温室Ｂ１，Ｂ２間に、中継用の２連の滑車部材を備えた谷滑車１４ｄ，２４ｄを設け、各駆動ワイヤ１３，２３を掛け回している。従って、例えば、第１駆動系統１０の駆動モーター１１を一方の温室Ｂ１に配置し、巻き取りドラム１２から引き出される駆動ワイヤ１３を、一方の温室Ｂ１の図の左側のワイヤ受け滑車１４ｂに掛け回し、次いで、頂部滑車１４ａに掛け回した後、谷滑車１４ｄに掛け回して、さらに、他方の温室Ｂ２の頂部滑車１４ａ及び図の右側のサイド滑車１４ｃに掛け回して反転し、温室Ｂ２の頂部滑車１４ａ、谷滑車１４ｄ、温室Ｂ１の頂部滑車１４ａ、図の左側のワイヤ受け滑車１４ｂに掛け回して、再び巻き取りドラム１２に巻き取らせて配置する。また、第２駆動系統２０の駆動モーター２１を他方の温室Ｂ２に配置し、巻き取りドラム２２から引き出される駆動ワイヤ２３を、他方の温室Ｂ２の図の右側のワイヤ受け滑車２４ｂに掛け回し、次いで、頂部滑車２４ａに掛け回した後、谷滑車２４ｄに掛け回して、さらに、一方の温室Ｂ１の頂部滑車２４ａ及び図の左側のサイド滑車２４ｃに掛け回して反転し、温室Ｂ１の頂部滑車２４ａ、谷滑車２４ｄ、温室Ｂ２の頂部滑車２４ａ、図の右側のワイヤ受け滑車２４ｂに掛け回して、再び巻き取りドラム２２に巻き取らせて配置する。
【００４１】
これにより、第１駆動系統１０を駆動させると、４つの開閉範囲Ａ１，Ａ１，Ａ２，Ａ２の４枚の第１カーテン部材１１０が同期して開閉動作する。同様に、第２駆動系統２０を駆動させると、４つの開閉範囲Ａ１，Ａ１，Ａ２，Ａ２の４枚の第２カーテン部材１２０が同期して開閉動作する。従って、本実施形態によれば、２つの温室Ｂ１，Ｂ２間に谷滑車１４ｄ，２４ｄを設けて中継することで、第１及び第２駆動系統１０，２０を両方の温室Ｂ１，Ｂ２で共通に利用でき、装置の簡素化、低コスト化に資する。その他、両方の駆動系統１０，２０を共に動作させて、２種類のカーテン部材１１０，１２０を適宜のバランスで展開したり、相互に重ね合わせたりすることができることは上記実施形態と同様である。
【００４２】
なお、上記実施形態では、妻面側から見てカーテン部材が山型に設けられた場合を例にとり説明したが、カーテン部材が略水平に開閉するものでも本発明が適用できることはもちろんである。
【符号の説明】
【００４３】
１  温室用カーテン装置
１０  第１駆動系統
２０  第２駆動系統
１１，２１  駆動用モーター
１２，２２  巻き取りドラム
１３，２３  駆動ワイヤ
１４ａ，２４ａ  頂部滑車
１４ｂ，２４ｂ  ワイヤ受け滑車
１４ｃ，２４ｃ  サイド滑車
１５ａ  第１先導パイプ
１５ｂ  第２先導パイプ
２５ａ  第３先導パイプ
２５ｂ  第４先導パイプ
１１０  第１カーテン部材
１２０  第２カーテン部材
【図１】
0006455930.tif 000002
【図２】
0006455930.tif 000003
【図３】
0006455930.tif 000004
【図４】
0006455930.tif 000005
【図５】
0006455930.tif 000006
【図６】
0006455930.tif 000007